(57)【要約】 【課題】転写部を覆うカバーの形状が変形しないので、カバーを開状態とした際に転写具の操作や使用上、邪魔になる点を解消する。【解決手段】本発明の転写具１は、カバー４には、転写部３を覆った際の転写部位に対応する箇所に折曲部４Ａが形成され、また、転写部３を露出状態で支持する筐体２には、カバー４を開状態とした際に該カバー４を収容する収容部２Ａが形成されている。【効果】折曲部４Ａによりカバー４の形状が変形し、また、収容部２Ａにより変形した状態のカバー４を収容するから、カバー４そのものの形状、及び筐体２におけるカバー４の退避位置、のいずれにおいても、転写具の操作や使用上、邪魔にならない。【選択図】  図１
2008037014.tif 000002
【特許請求の範囲】
【請求項１】
基材上に塗布された転写媒体を被転写体に転写する転写部を覆うカバーを有した転写具において、前記カバーには、前記転写部を覆った際の転写部位に対応する箇所に折曲部が形成され、また、前記転写部を露出状態で支持する筐体には、前記カバーを開状態とした際に該カバーを収容する収容部が形成されていることを特徴とする転写具。
【請求項２】
収容部は、筐体外面から略埋没するようにカバーを収容することを特徴とする請求項１記載の転写具。
【請求項３】
カバーの、少なくとも開状態で筐体外面に対応する部位に、滑止部を形成したことを特徴とする請求項１又は２記載の転写具。
【発明の詳細な説明】
【技術分野】
【０００１】
本発明は、未使用時には転写部を保護し、使用時には形状を変形させて筐体に収容できるカバーを備えた転写具に関するものである。
【背景技術】
【０００２】
基材上に塗布された転写媒体を筐体内から送り出して、筐体から露出した転写部において紙などの被転写体に該転写媒体を転写し、その後の基材を筐体内に巻き取るといった転写具が知られている。
【０００３】
この種の転写具は、上記転写部が筐体から露出したままでは、基材上に塗布された転写媒体が意図しない物体に不用意に貼着したり、転写媒体及び基材に損傷を受ける可能性がある。
【０００４】
未使用時の転写部を保護するために、以下の特許文献１，２では、カバーを有した構成の転写具が示されている。
【特許文献１】特開２００３−５４１９０号公報
【特許文献２】特開２００５−１９３４１０号公報
【０００５】
特許文献１，２に示される転写具のカバーは、特許文献１においては転写部の一部、特許文献２においては筐体の一部、に開閉回動の基端部が枢支されており、この基端部を中心として、基材の送り出し方向側（以下、下側という）に開状態となる。
【発明の開示】
【発明が解決しようとする課題】
【０００６】
しかしながら、特許文献１，２は、いずれもカバーが、その形状を何ら変形させることなく基端部を中心に下側に回転して開状態になる構成であったため、転写部を基材及び転写媒体を介して被転写体に押しつけて移動させる（以下、操作という）際に、筐体内から転写部に向かう基材（及び転写媒体）の送り出しに邪魔となるほか、筐体の被転写体に対する筐体の操作角度に制限がかかって使用しにくいといった問題がある。
【０００７】
一方、下側にカバーが移動すると生じる問題を回避すべく、筐体において基材の巻き取り方向側（以下、上側という）にカバーを移動させた場合は、上側が手で把持する部分がないため、把持しにくく、したがって操作しにくくなるといった問題がある。
【０００８】
本発明が解決しようとする問題点は、カバーの形状がそのままでは、下側に移動させると基材及び転写媒体の送り出しに邪魔になると共に、被転写体に対する筐体の操作角度に制限がかかって使用しにくい点、及び上側に移動させると把持しにくくなると共に、操作しにくくなる点、である。
【課題を解決するための手段】
【０００９】
本発明の転写具は、上記問題点を解決するために、カバーに折曲部を形成すると共に、筐体に収容部を形成し、転写部の使用時に、折曲部により折り曲げたカバーを筐体の収容部に収容する構成とした。
【発明の効果】
【００１０】
本発明に係る転写具は、カバーに折曲部が形成され、また、筐体に収容部が形成されているので、開状態となったカバーそのものの形状、及び筐体におけるカバーの退避位置、について、転写具の操作や基材の送り出しの邪魔になることがない。
【発明を実施するための最良の形態】
【００１１】
本発明は、以下の図１〜図１０に示す形態により実施可能である。なお、図１〜図１０では、転写具１は、共通して次の構成とされ、以下、特に本発明の特徴とされる部分を除いては図示及び参照番号並びに説明を省略することとする。
【００１２】
転写具１は、転写媒体を塗布した基材を巻き取った送出軸部、この送出軸部から送り出される基材を巻き取る巻取軸部を筐体２内に備えている。筐体２には、開口が設けられ、この開口から転写部３が突出している。
【００１３】
転写部３は、送出軸部と巻取軸部との間の基材の搬送経路途中に設けられ、該基材はその先端部に架けられている。なお、本例における転写部３は、例えば舌状のものを採用したが、転写部３はローラー状のものでも構わない。
【００１４】
転写具１は、筐体２を手に持って転写部３を被転写体に押しつけて移動させることで、送出軸部から送り出される基材に塗布された転写媒体が被転写体上に転写され、転写後の基材が巻取軸部に巻き取られる。
【００１５】
本発明の転写具１は、未使用時の転写部３を覆い、使用時には転写部３を露出させる、折曲部４Ａが形成されたカバー４を有し、筐体２にはカバー４を収容する収容部２Ａが形成されていることを最大の特徴としている。以下、各形態毎に説明する。
【００１６】
（第１形態）
図１〜図３に示す第１形態は次の構成である。筐体２において、転写媒体が被転写体に転写された後の基材が転写部３を経て該筐体２内に戻る側、つまり図１及び図３で示す上側には側面視段状の収容部２Ａが形成されている。
【００１７】
この収容部２Ａは、例えば本形態では、後述する折り畳んだカバー４の厚み分と同等の段とされている。つまりカバー４は、折り畳んだ状態で筐体２の外形輪郭に対して突出しないでむしろ埋没するように収容部２Ａに収容されることになる。
【００１８】
そして、収容部２Ａの転写部３側が位置する方向の先端部の左右両端には、例えば本形態では枢支部２ａ，２ａが形成されている。また、筐体２は、図１及び図３で示す筐体２の下側における先端部の左右両端に、転写部３を覆ったカバー４を係合するロック部２ｂ，２ｂが形成されている。
【００１９】
一方、第１形態におけるカバー４は、１枚の例えばポリプロピレン樹脂を材料とした板材の途中箇所に折曲部４Ａが形成されている。この折曲部４Ａは、例えば第１形態では、転写部３を覆ったカバー４において、該転写部３に臨む面側（以下、転写部３側という）とは反対面側（以下、反転写部３側という）に若干の肉厚を残して該カバー４の上下を接続した接続部４Ａａと、転写部３側に図２（ｂ）に示す側面視でＶ字状に形成された溝部４Ａｂとを有する。
【００２０】
また、カバー４は、図２における上側の両側端面には上記枢支部２ａで枢支される枢支突部４ａが、図２における下側の両側端面には上記ロック部２ｂに係合するロック穴４ｂが、各々形成されている。
【００２１】
第１形態におけるカバー４は、図１（ａ）及び図３（ａ）に示すように、転写部３を保護している状態では、折曲部４Ａの溝部４Ａｂが閉じることで転写部３を避けてカバー４が上側と下側に折れ曲がり、また、下側両側端面のロック穴４ｂに各々筐体２のロック部２ｂが係合している。
【００２２】
上記状態から、カバー４を開状態とする際には、ロック穴４ｂとロック部２ｂの係合を外し、該カバー４の下側を接続部４Ａａを中心として反転写部３側に回転させて折り畳み、その後、該カバー４全体を枢支部２ａを中心として回転させて収容部２Ａに収容する。こうして完全にカバー４が開状態となり、転写部３が露出して使用できる状態を図１（ｂ）及び図３（ｂ）に示す。
【００２３】
このように、第１形態では、転写部３を使用する際に開状態とするカバー４を折曲部４によって折り曲げてその形状を変形させたうえで、収容部２Ａに収容されるから、該カバー４が操作や使用において邪魔になることがない。
【００２４】
また、本第１形態では、収容部２Ａは、折り畳んで収容したカバー４の最外面と筐体２の外形面とが同一高さとなるように、該カバー４が埋没するように段状に形成しているので、開状態のカバー４が操作や使用において全く気にならない。
【００２５】
（第２形態）
図４及び図５に示す第２形態は次の構成である。なお、第２形態以降は、第１形態と異なる構成についてのみ説明する。第２形態のカバー４は、接続部４Ａａが転写部３側に形成されると共に、第１形態のＶ字状の溝部４Ａｂが形成される代わりに反転写部３側に切目部４Ａｃが形成されている。他の構成は第１形態と同様である。
【００２６】
第２形態におけるカバー４は、図５（ａ）において二点鎖線で示すように、転写部３を保護している状態では、折曲部４Ａの接続部４Ａａにより転写部３を避けて上側と下側に折れ曲がり、また、下側両側端面のロック穴４ｂに各々筐体２のロック部２ｂが係合している。なお、カバー４が閉状態のとき切目部４Ａｃは側面視Ｖ字状となっている。
【００２７】
上記状態から、カバー４を開状態とする際には、ロック穴４ｂとロック部２ｂの係合を外し、該カバー４の下側を接続部４Ａａを中心としてさらに転写部３側に回転させて折り畳みつつ、該カバー４全体を枢支部２ａを中心として回転させ、収容部２Ａに収容する。なお、カバー４を折目部４Ａにより完全に折り畳んだとき、切目部４Ａｃは側面視平坦状となる。こうして完全にカバー４が開状態となり、転写部３が露出して使用できる状態を図５（ｂ）に示す。
【００２８】
このように、第２形態でも、第１形態と同等の作用効果が得られるが、第２形態固有の作用効果としては、第１形態では収容部２Ａにおいて溝部４Ａｂの形状の分だけ筐体２との間に隙間（凹凸）が生じるが、第２形態ではカバー４を完全に折り畳むと切目部４Ａｃが側面視平坦状となるから、第１形態の前記隙間が生じない。
【００２９】
（第３形態）
図６〜図８に示す第３形態は次の構成である。第３形態では、カバー４及び収容部２Ａが第１形態と異なる。まず第３形態のカバー４は、図示する所定の円弧形状に癖付けられた金属板、あるいは樹脂材料が用いられ、前記円弧部分が折曲部４Ａに相当する。
【００３０】
このカバー４は、転写部３を覆った状態で、その下側端面が、筐体２において転写部３を露出させるための開口を形成する外縁面に当接する。したがって、第３形態においては、筐体２には枢支部２ａ、ロック部２ｂが、カバー４には枢支突部４ａ、ロック穴４ｂが、存在しない。
【００３１】
収容部２Ａは、カバー４の厚み分と同等の段とされ、次の構成となっている。段の左右両側面には、カバー４の厚み分の高さとされた壁面２Ａａ，２Ａａが形成されている。この壁面２Ａａ，２Ａａの上端から各々連続して互いに左右中央に向かって、段の底面と平行な押面２Ａｂ，２Ａｂが形成されている。これら押面２Ａｂ，２Ａｂとの間には上記段の底面が覗く隙間２Ａｃが形成されている。
【００３２】
第３形態におけるカバー４は、図６、図７及び図８（ａ）に示すように、転写部３を保護している状態では、癖付けされた折曲部４Ａの円弧により転写部３を避けて折れ曲がっており、下側端面が筐体２の転写部３を露出させるための開口を形成する外縁面と当接している。
【００３３】
上記状態から、カバー４を開状態とする際には、隙間２Ａｃからカバー４の上側端部を下側へ押さえつつ、筐体２の後端側へ該カバー４を移動させる。そして収容部２Ａにカバー４が収容される際に、押面２Ａｂにより、癖付けされた折曲部４Ａは、その円弧状が該収容部２Ａの収容スペース（直線状）に矯正されるように折れ曲がる。こうして完全にカバー４が開状態となり、転写部３が露出して使用できる状態を図８（ｂ）に示す。
【００３４】
そして、転写部３を覆うべく、カバー４を再度閉状態とするには、隙間２Ａｃからカバー４を下側に押さえつつ、筐体２の前端側へ該カバー４を移動させる。カバー４は、折曲部４Ａが収容部２Ａを脱すると、癖が発現し、図６、図７及び図８（ａ）に示す状態となる。
【００３５】
このように、第３形態でも、第１形態と同等の作用効果が得られるが、第３形態固有の作用効果は、第３形態においても第１及び第２形態と同様に折曲部４Ａを有しているが、カバー４を折曲部４Ａを介して折り曲げるという動作を必要としないで、スライド移動させるだけで変形できる点である。
【００３６】
（第４形態）
図９及び図１０に示す第４形態は、次の構成である。第４形態は、上記第１〜第３形態における各カバー４において、該カバー４の、開状態で筐体２外面に対応する部位に、滑止部４Ｂを形成している。この滑止部４Ｂは、単純に凹凸や粗面を形成したものでもよいが、本第４形態では、例えばゴムシートを貼着したものとした。
【００３７】
滑止部４Ｂにゴムを採用することで、カバー４が転写部３を覆っているときには、衝撃緩衝作用を期待でき、カバー４が収容部２Ａに位置するときには指によくなじみ、かつ指が滑らず、良好な使用感を得ることができる。
【００３８】
図９及び図１０（ａ）に示す第１形態におけるカバー４は、上側で転写部３に面する部位に滑止部４Ｂを形成する。図１０（ｂ）に示す第２形態におけるカバー４は、下側で反転写部３に面する部位に滑止部４Ｂを形成する。図１０（ｃ）に示す第３形態におけるカバー４は、下側で反転写部３に面する部位に滑止部４Ｂを形成する。もちろん、滑止部４Ｂはカバー４の全面に設けても構わない。
【００３９】
なお、本発明は上記に限らず、種々の変形が可能であり、例えば第１及び第２形態における折曲部４Ａは、接続部４Ａａにより折り曲がるようにしていたが、これに代えて上下側一方に設けた軸を他方で枢支する構成として折れ曲がるようにしてもよい。また、第１及び第２形態におけるロック部２ｂは上記の構成に限らず、下側において突出せず邪魔にならないような構成であればより好ましい。
【図面の簡単な説明】
【００４０】
【図１】本発明の第１形態の転写具であり、（ａ）はカバー閉、（ｂ）はカバー開、状態を示す斜視図である。
【図２】本発明の第１形態におけるカバーであり、（ａ）は正面方向、（ｂ）は側面方向、から見た図である。
【図３】本発明の第１形態におけるカバーの使用状況であり、（ａ）はカバー閉、（ｂ）はカバー開、状態を示す側面図である。
【図４】本発明の第２形態におけるカバーであり、（ａ）は正面方向、（ｂ）は側面方向、から見た図である。
【図５】本発明の第２形態におけるカバーの使用状況であり、（ａ）はカバー閉、（ｂ）はカバー開、状態を示す側面図である。
【図６】本発明の第３形態の転写具のカバー閉状態を示す斜視図である。
【図７】本発明の第３形態の転写具のカバー閉状態を部分的に示し、（ａ）は平面方向、（ｂ）は正面方向、（ｃ）は側面方向、から見た図である。
【図８】本発明の第３形態におけるカバーの使用状況であり、（ａ）はカバー閉、（ｂ）はカバー開、状態を示す側面図である。
【図９】本発明の第４形態の転写具のカバー開状態を示す斜視図である。
【図１０】本発明の第４形態の構成を示し、（ａ）は第１形態のカバーに、（ｂ）は第２形態のカバーに、（ｃ）は第３形態のカバーに、各々適用した状態を示す側面図である。
【符号の説明】
【００４１】
１  転写具
２  筐体
２Ａ  収容部
２Ａｂ  押面
３  転写部
４  カバー
４Ａ  折曲部
４Ｂ  滑止部
【図１】
2008037014.tif 000003
【図２】
2008037014.tif 000004
【図３】
2008037014.tif 000005
【図４】
2008037014.tif 000006
【図５】
2008037014.tif 000007
【図６】
2008037014.tif 000008
【図７】
2008037014.tif 000009
【図８】
2008037014.tif 000010
【図９】
2008037014.tif 000011
【図１０】
2008037014.tif 000012